(57)【要約】  検出装置は、少なくとも第１の波長範囲の電磁放射を吸収するように構成され、かつ第１の熱膨張係数を示す吸収性の第１の積層体（２）を備える。それはまた、光学機能体を形成し、かつ第２の熱膨張係数を示す第２の積層体（３）を備える。第１の熱膨張係数は、第２の熱膨張係数とは異なり、検出装置は、第１の積層体と第２の積層体を分離する緩衝層（４）をさらに備える。緩衝層（４）は、第１の積層体（２）によって誘発される機械的応力を吸収するために、０．５μｍから５０μｍの間で構成される厚さを示す。
2021533387.tif 000002
【特許請求の範囲】
【請求項１】
検出装置（１）であって、
少なくとも第１の波長範囲の電磁放射を吸収するように構成され、第１の熱膨張係数を示す吸収性の第１の積層体（２）であって、吸収材料から作られる層を備える吸収性の第１の積層体（２）と、
光学機能体を形成し、第２の熱膨張係数を示す第２の積層体（３）と
を備える検出装置（１）において、前記第１の熱膨張係数が、前記第２の熱膨張係数とは異なること、および前記検出装置（１）が、前記第２の積層体（３）によって導入される一連の機械的応力から前記吸収性の第１の積層体（２）を分離するために前記吸収性の第１の積層体（２）と第２の積層体（３）を分離する緩衝層（４）であって、０．５μｍから５０μｍの間で構成される厚さを示す緩衝層（４）を備えること、および前記緩衝層（４）が、前記第１の積層体（２）と格子整合する半導体材料によって形成されることまたは前記緩衝層（４）と吸収性の第１の積層体（２）との間の格子パラメータの差が、１％未満であること、および前記吸収材料が、ＩＩ−ＶＩ材料もしくはＩＩＩ−Ｖ材料であることを特徴とする検出装置（１）。
【請求項２】
前記緩衝層（４）が、電気的に絶縁性である、請求項１に記載の検出装置（１）。
【請求項３】
前記緩衝層（４）が、前記第１の波長範囲を吸収しないように構成される、請求項１または２のいずれか一項に記載の検出装置（１）。
【請求項４】
前記吸収性の第１の積層体（２）が、第１の光検出器（２ａ）、および前記第１の光検出器（２ａ）に隣接する第２の光検出器（２ｂ）を備え、
前記第２の積層体（３）が、前記第１の光検出器（２ａ）に面する第１のフィルタ（３ａ）を備え、前記第１のフィルタ（３ａ）が、第１の波長範囲を通過させ、前記第１の波長範囲とは異なる第２の波長範囲を遮断するように構成され、前記第２の光検出器（２ａ）が、前記第１の光検出器（２ａ）および前記第２の光検出器（２ｂ）によって受け取られる電磁放射を分離するために前記第１のフィルタ（３ａ）とは異なる光学機能体によって覆われる、
請求項１から３のいずれか一項に記載の検出装置（１）。
【請求項５】
前記光学機能体が、前記第１の光検出器（２ａ）も覆う反射防止層である、請求項４に記載の検出装置（１）。
【請求項６】
前記光学機能体が、前記第２の光検出器（２ｂ）に面し、かつ前記第２の波長範囲を通過させ、前記第１の波長範囲を遮断するように構成される第２のフィルタ（３ｂ）である、請求項４に記載の検出装置（１）。
【請求項７】
前記第１の光検出器（２ａ）および前記第２の光検出器（２ｂ）が、前記第１の波長範囲および前記第２の波長範囲を吸収するように構成される、請求項４から６のいずれか一項に記載の検出装置（１）。
【請求項８】
前記吸収性の第１の積層体（２）が、繰り返しピッチＰで配置される複数の光検出器を備え、前記緩衝層が、ｎが前記緩衝層（４）の光学指数である
【数１】
2021533387.tif 000004
であるような厚さｄを示す、請求項１から７のいずれか一項に記載の検出装置（１）。
【発明の詳細な説明】
【技術分野】
【０００１】
本発明は、電磁放射検出装置に関する。
【背景技術】
【０００２】
状況の１つ以上の電磁信号を検出するために、検出装置を使用することが一般的である。検出装置は、観測信号の検出に必要な光学的および電気光学機能を果たすために、互いに積み重ねられた複数の層を備える。
【０００３】
検出装置は、電磁放射を収集し、検出装置で形成された電荷を、処理される電気信号の出力端子に向けるように組み立てられた導電層、電気絶縁層、および／または半導体層を備える。
【０００４】
検出装置は、対象の波長範囲外の電磁放射を遮断する一般に光学フィルタである、干渉光信号の少なくとも一部を除去するように構成された層の積層体をさらに備える。フィルタ機能に加えて、電気信号への電磁放射の変換が実行される領域の方向に電磁放射を集中させる１つ以上のレンズを有することが一般的である。
【０００５】
検出装置を形成するために使用される積層体は複雑であるため、これらの製品を製造およびテストする前に、かなりのシミュレーション作業が実行される。
【０００６】
電磁放射を検出するために、冷却検出装置を使用することが一般的な慣例であり、すなわち、検出装置が低温で動作するように、検出装置は冷却器に関連付けられる。冷却器は、特定のノイズ成分を低減するために検出装置を冷却することを可能にする。
【０００７】
シミュレートされた検出装置の実際の実施が行われるとき、得られる性能は必ずしもシミュレーションの結果と一致しないため、時間および費用のかかる補完的な開発ステップが必要になることは明らかである。
【発明の概要】
【発明が解決しようとする課題】
【０００８】
本発明の１つの目的は、これらの欠点を改善すること、および従来技術の検出装置と比較して、特に低温において、改善された性能を示す検出装置を提供することにある。
【課題を解決するための手段】
【０００９】
少なくとも第１の波長範囲の電磁放射を吸収するように構成され、第１の熱膨張係数を示す吸収性の第１の積層体と、
光学機能体（ｏｐｔｉｃａｌ  ｆｕｎｃｔｉｏｎ）を形成し、第２の熱膨張係数を示す第２の積層体と
を備える検出装置を提供することが特に好適である。
【００１０】
検出装置は、第１の熱膨張係数が第２の熱膨張係数とは異なる点で、また、検出装置が第１の積層体と第２の積層体を分離する緩衝層を備え、緩衝層が、第１の積層体によって誘発される機械的応力を吸収するために、０．５μｍから５０μｍの間で構成される厚さを示す点で注目に値する。
【００１１】
一開発では、緩衝層は、電気的に絶縁性である。
【００１２】
特定の実施形態では、緩衝層は、第１の波長範囲を吸収しないように構成される。
【００１３】
吸収性の第１の積層体が、第１の光検出器、および第１の光検出器に隣接する第２の光検出器を備え、
第２の積層体が、第１の光検出器に面する第１のフィルタを備え、第１のフィルタが、第１の波長範囲を通過させ、第１の波長範囲とは異なる第２の波長範囲を遮断するように構成され、第２の光検出器が、第１の光検出器および第２の光検出器によって受け取られる電磁放射を分離するために第１のフィルタとは異なる光学機能体によって覆われる
検出装置を提供することが好適である。
【００１４】
代替の実施形態では、光学機能体は、第１の光検出器も覆う反射防止層である。
【００１５】
第２の波長範囲を通過させ、第１の波長範囲を遮断するように構成される第２のフィルタである光学機能体を実現することが好適である。
【００１６】
別の開発では、第１の光検出器および第２の光検出器は、第１の波長範囲および第２の波長範囲を吸収するように構成される。
【００１７】
他の利点および特徴は、非限定的な例を挙げるためにのみ与えられ、添付の図面に表されている本発明の特定の実施形態の以下の説明からより明確に明らかになる。
【図面の簡単な説明】
【００１８】
【図１】検出装置の実施形態を断面で概略的に示している。
【図２】検出装置の製造方法の製造ステップを断面で概略的に表している。
【図３】検出装置の製造方法の製造ステップを断面で概略的に表している。
【図４】検出装置の製造方法の製造ステップを断面で概略的に表している。
【図５】検出装置の別の製造方法の製造ステップを断面で概略的に表している。
【図６】検出装置の別の製造方法の製造ステップを断面で概略的に表している。
【発明を実施するための形態】
【００１９】
図１に示されているように、検出装置１は、少なくとも第１の波長範囲の、好適には少なくとも第１の波長範囲および第１の波長範囲とは異なる第２の波長範囲の電磁放射Ａを収集するように配置された１つ以上の導電層および半導体層によって形成されたの吸収性の第１の積層体２を備える。第１の波長範囲は、第２の波長範囲との重複を有さない。
【００２０】
第１の積層体２は、好適には、入射放射線を吸収し、これを、電気信号を形成する電荷担体に変換するように構成された、吸収材料とも呼ばれる吸収層を備える。光放射の吸収から生じる電荷担体は、キャリア光子とも呼ばれる。吸収材料は、ＩＩ−ＶＩ材料またはＩＩＩ−Ｖ材料であり得る。吸収材料は、ＨｇＣｄＴｅ、ＩｎＳｂ、ＩｎＡｓＳｂ、ＩｎＧａＡｓ、およびＩｎＰから選択され得る。ＩＩＩ−Ｖ材料によって意味されているのは、メンデレーエフの周期表のＩＩＩ列（ホウ素、ガリウム、アルミニウム、インジウムなど）およびＶ列（ヒ素、アンチモン、リンなど）からの１つ以上の元素で構成される半導体材料である。ＩＩ−ＶＩ材料によって意味されているのは、メンデレーエフの周期表のＩＩ列（亜鉛、カドミウム、水銀など）およびＶＩ列（硫黄、セレン、テルルなど）からの１つ以上の元素で構成される半導体材料である。
【００２１】
第１の積層体２の第１の表面は、光学機能体を形成する第２の積層体３によって少なくとも部分的に覆われる、すなわち、部分的または完全に覆われる。実施形態に応じて、光学機能体は、反射防止体、フィルタ、またはレンズであり得る。上記の機能のうちの１つより多くの機能、例えば、反射防止に関連付けられたフィルタまたは反射防止に関連付けられたレンズの役割を果たす第２の積層体３を実現することも可能である。これらの３つの機能を果たす第２の積層体３を実現することがさらに可能である。構成に応じて、フィルタは、ハイパスフィルタ、ローパスフィルタ、またはバンドパスフィルタであり得る。
【００２２】
反射防止層は、入射光放射の少なくとも９９％を、対象の波長範囲全体、例えば光検出器によって吸収される波長範囲全体、または関連するフィルタを通過する波長範囲全体にわたって通過させるように構成された層である。
【００２３】
反射防止機能は、誘電体材料とも呼ばれる電気絶縁材料から優先的に作られる単一の層またはいくつかの層によって果たされ得る。反射防止機能が単一の層によって果たされる場合、ｎが反射防止層の光学指数であり、λが反射防止機能が必要とされる波長範囲の特性波長であるｄ＝λ／４ｎによって定義された厚さｄを有する層によって反射防止機能を形成することが好適である。特性波長は、好適には、波長範囲の平均波長であるが、対象の波長範囲内でこの平均値から離れることが可能である。反射防止機能は、その入力と出力との間で入射光ビームの形状を変化させるようには構成されない。
【００２４】
レンズは、入射光放射の少なくとも９９％を対象の波長範囲全体にわたって通過させ、放射線入射を成形するように構成された光学機能体である。したがって、入射放射線の形状は、レンズの入力とレンズの出力との間で異なる。
【００２５】
フィルタは、ある波長範囲を通過させ、別の波長範囲を遮断するように構成された光学機能体である。例えば、フィルタは、第１の波長範囲を通過させ、第２の波長範囲を遮断するように構成される。フィルタは、好適には、第１の波長範囲の少なくとも９０％を通過させ、第２の波長範囲の少なくとも９０％を遮断するように、またはその逆になるように構成される。
【００２６】
吸収性の第１の積層体２は、緩衝層４によって、光学機能体を形成する第２の積層体３から分離される。緩衝層４は、第１の積層体２と第２の積層体３との間に存在する熱機械的応力を吸収するように構成される。
【００２７】
本発明者らは、吸収性の第１の積層体２が、光学機能体を形成する第２の積層体３に存在する第２の熱膨張係数とは異なる第１の熱膨張係数を示すことを観察した。第１の積層体２が第２の積層体３と直接接触している場合、この熱膨張係数の差は、吸収性の第１の積層体２に生じる一連の応力をもたらし、この一連の応力は、第１の積層体２の電気光学的挙動を変化させる。したがって、第１の積層体２に対して第２の積層体３によって加えられる応力を低減またはさらには除去するために第１の積層体２と第２の積層体３を分離することが好適である。
【００２８】
熱膨張係数によって意味されているのは、第１の温度と第２の温度との間に及ぶ温度範囲にわたる平均熱膨張係数である。第１の温度は、例えば、検出装置が電磁信号を捕捉し、これを電子信号の形で処理回路に転送するときの検出装置の動作温度に対応する。第１の温度は、例えば、２０℃から３０℃の間で構成される。好適な態様では、第１の温度は、０℃未満であり、優先的には２００Ｋ未満であり、さらにより好適には８０Ｋから２００Ｋの間で構成される。第２の温度は、光学機能体を形成する１つ以上の層３の堆積温度に対応し得る。堆積温度は５０℃より高くてもよい。例えば、第２の温度は８０℃に等しい。
【００２９】
光学機能体を形成する第２の積層体３によって生じる機械的応力を吸収することによって、緩衝層４は、第１の積層体２がその予定された動作、すなわち、光学機能体の機械的応力のない動作、または吸収性の積層体に形成された光検出器間の応力がより均一であるまたはさらには同一である動作に近づくことを可能にする。
【００３０】
緩衝層４は、単一の層またはいくつかの異なる層によって形成され得る、すなわち、異なる材料によって形成され得る。光学機能体を形成する第２の積層体３と対象の放射線を吸収する第１の積層体２との間の光学的擾乱を低減するように単一の層によって形成される緩衝層４を実現することは特に好適である。光信号が界面に到達するたびに、光信号の一部が回折されて失われる。
【００３１】
好適な態様では、緩衝層４は均一である。それは、好適には、吸収層２と接触する表面から第２の積層体３と接触する表面まで同一の組成を示す。この組成の均一性は、優先的には、吸収層と緩衝層との間の界面の平面に平行な、場合によっては緩衝層４と吸収層２との間の界面に垂直な１つ以上の方向に存在する。同一の組成によって意味されているのは、好適には、ドープが、一方の表面から他方の表面まで、および／または吸収層２と緩衝層４との間の界面の平面に平行な１つ以上の方向に一定であることである。
【００３２】
緩衝層４は、いかなる光学機能体も、特に上で挙げた光学機能体のいずれも得ることのないように構成される。緩衝層４は、対象の電磁放射、すなわち、第１の積層体２によって吸収される必要がある電磁放射を吸収しないように構成される。緩衝層４は、２０％未満の対象の放射線の吸収レベルを示すように構成される、すなわち、第１の積層体２は、第２の積層体３が透過させた放射線の１００％から８０％の間を受け取る。このようにして、緩衝層４は、検出装置の動作に関して最も光学的に中性である。好適には、緩衝層４は、１０％未満またはさらには５％である対象の放射線の吸収レベルを示すように構成される。
【００３３】
緩衝層４は、電気的機能を示さないように構成される、すなわち、それは、電流を第１の積層体２から第２の積層体３に流さないように構成される。緩衝層４は、電流が横方向に、すなわち、緩衝層４と第１の積層体２との間の界面に平行な方向に流れることを可能にしないようにも構成される。
【００３４】
緩衝層４は、電気絶縁層によって形成され得る。緩衝層４は、部分的または完全に誘電体材料によって、すなわち電気絶縁材料によって形成され得る。高分子材料によって部分的または完全に形成される緩衝層４を実現することも可能である。緩衝層４はまた、電流の流れを阻止するように、ドープされていないまたは弱くドープされた半導体材料によって部分的または完全に形成され得る。半導体材料が使用される場合、それは、所望の電磁放射を吸収しない。
【００３５】
特定の実施形態では、緩衝層４は、１＊１０１６ｃｍ−３を超える電気的に活性なドーパントによるドープを示す層によって形成され得る。しかしながら、緩衝層４は、対象のスペクトル範囲でキャリア光子の生成および収集機能を実行するように構成されない。このドープは不随意のドープであり得る、すなわち、この層は意図せずにドープされる。
【００３６】
好適な実施形態では、緩衝層４は、アモルファス材料から作られる。別の実施形態では、緩衝層４は、吸収材料２との格子不整合に関連する応力の発生を誘発しないまたは制限するように吸収材料２との格子整合を示す。
【００３７】
緩衝層４は、０．５μｍから５０μｍの間で構成される合計の厚さを示す。この厚さ範囲は、例えば複数のレンズおよび／または複数のフィルタを備える第２の積層体３の技術的制約に対応することを可能にするため、特に好適である。レンズは、大量の観測光信号をより小さな断面の光検出器に向かって収束させることを可能にする。
【００３８】
緩衝層４の厚さは、第１の積層体２と第２の積層体３との間に存在する光キャビティが２つの隣接する画素間、すなわち２つの直接隣接する光検出器間のクロストークの問題を被るようになる閾値よりも小さい。本発明者らは、５０μｍの厚さを超えると、クロストークの問題を示さない光キャビティを実現することが非常に困難であることを観察した。
【００３９】
例えば、１５μｍに等しい繰り返しピッチで配置された複数の画素を備える検出装置の場合、幾何光学シミュレーションは、５０μｍを超える緩衝層４を採用すると、光学的クロストークが悪化し、装置の性能が大幅に低下することを示す。例えば、この例では、４０μｍ以下の厚さを有する緩衝層４の使用は、許容可能なクロストーク性能を有する検出装置を維持することを可能にする。
【００４０】
例えば、１５μｍに等しい繰り返しピッチで画素が配置される検出装置の場合、ほぼ最適な性能を実現するために、２６μｍ以下の厚さを有する緩衝層４を使用することが好適である。
【００４１】
好適な態様では、クロストークを制限するために、検出装置が、繰り返しピッチＰを有する吸収層２の複数の光検出器を示す場合、ｎが緩衝層４の光学指数であるＰ／（２＊ｔａｎ（１／２ｎ））より小さな厚さｄ、すなわち、
【数１】
2021533387.tif 000003
【００４２】
を有する緩衝層４を使用することが好適である。
【００４３】
本発明者らは、不均一な光学機能体の組み込みも、吸収性の積層体を最小値を超えて変えることを必要とすることを観察した。不均一な光学機能体は、第２の積層体３内の複数のレンズおよび／または複数のフィルタによって、すなわち、緩衝層４と第２の積層体３との間の界面に垂直な方向に少なくとも２つの異なる積層体３ａおよび３ｂが存在することによって形成され得る。２つの異なる積層体３ａおよび３ｂは、第１の積層体２と緩衝層４との間の界面に平行な方向に隣接する。
【００４４】
２つの積層体は異なるため、これらは、吸収層２に異なる機械的応力を誘発し得る。
【００４５】
好適な実施形態では、緩衝層４は、第１の積層体２との格子整合を示すか、または第１の積層体２との実質的な格子整合を実質的に示す半導体材料によって形成される。格子整合を示すことによって意味されているのは、緩衝層４と第１の積層体２との間の格子パラメータの差が１％未満であることである。
【００４６】
図２、図３、および図４に示されている特定の実施形態では、第１の積層体２は、初期基板５の第１の表面上に作られ、例えば、第１の積層体２は、エピタキシーによって生成される（図２）。第１の積層体２の異なる層が、第１の表面５ａ上に形成される。次に、第１の表面５ａの反対側の第２の表面５ｂが、第２の積層体３によって覆われる。基板５は、応力を吸収するために少なくとも部分的に残しておかれる。非常に多くの場合、基板の厚さが非常に大きく、検出装置に光学的擾乱を引き起こすため、初期基板５の薄化ステップは、第２の積層体３を堆積させる前に実行される。基板５の薄化は、第２の積層体３の形成ステップ（図４）の前の図３に示されている。
【００４７】
図２、図５、および図６によって示されている別の特定の実施形態では、第１の積層体２は、例えばエピタキシーによって、初期基板５の第１の表面５ａ上に作られる（図２）。第１の積層体２の異なる層が、第１の表面５ａ上に形成され、次に、初期基板５が、図５に示されているように除去される。緩衝層４は、第１の積層体２上、第２の積層体３の形成前に除去された基板５（図６）と初期に接触していた表面上に堆積される。
【００４８】
次に、第２の積層体３が、第１の積層体２と第２の積層体３が緩衝層４によって分離されるように緩衝層４上に堆積される。光学機能体の形成が実行されるときに光検出器２ａ／２ｂの機械的強度を確保するために光検出器が支持基板、例えば読み出し回路７または中間支持体に非常に頻繁に関連付けられるため、図５は概略図である。読み出し回路７は、信号処理集積回路に向けられたキャリア光子の収集を実行するように構成される。
【００４９】
特定の実施形態では、検出装置は、第１の積層体２が、第１のスペクトル波長帯とも呼ばれる第１の波長範囲に感度のある第１の光検出器２ａと、第２のスペクトル波長帯とも呼ばれる第２の波長範囲に感度のある第２の光検出器２ｂとを少なくとも備えるマルチスペクトル検出装置である。
【００５０】
特定の実施形態では、第１の光検出器２ａおよび第２の光検出器２ｂは、第１の波長範囲および第２の波長範囲を吸収するように構成された単一の半導体フィルムを備える。この実施形態は、非常にコンパクトであり、かつ２つの光検出器を同時に製造することを可能にするため、特に好適である。
【００５１】
好適な実施形態では、検出装置は、複数の第１の光検出器２ａおよび第２の光検出器２ｂを備える。複数の第１の光検出器２ａおよび複数の第２の光検出器２ｂは、焦点面アレイを形成する、すなわち、すべての光検出器は、同じ平面に配置される。
【００５２】
優先的な態様では、第１の積層体２は、第２の光検出器２ｂと同じ数の第１の光検出器２ａを備える。代替案としては、第２の光検出器２ｂの数とは異なる数の第１の光検出器２ａを備える第１の積層体２を実現することも可能である。
【００５３】
特定の実施形態では、第２の波長範囲は、第１の波長範囲とは異なる。好適な態様では、第２の波長範囲は、第１の波長範囲から分離される、すなわち、波長範囲は重複しない。実施形態に応じて、第１の波長範囲および第２の波長範囲は、共通の境界を有するか、またはそれらは、波長範囲によって分離される。
【００５４】
第１の光検出器２ａおよび第２の光検出器２ｂは両方とも、第１の波長範囲および第２の波長範囲に感度がある。言い換えれば、第１の光検出器２ａおよび第２の光検出器２ｂは、第１の波長範囲で放出された放射線を収集し、この放射線を表す電気信号を提供することができる。第１の光検出器２ａおよび第２の光検出器２ｂはまた、第２の波長範囲で放出された放射線を収集し、この放射線を表す電気信号を提供することができる。
【００５５】
好適な態様では、第１の波長範囲および第２の波長範囲は、赤外線放射範囲である。特定の実施形態では、第１の波長範囲および第２の波長範囲は、以下の範囲から選択される。
【００５６】
ＭＷＩＲ：３μｍから８μｍの間、
ＬＷＩＲ：８μｍから１５μｍの間、
ＳＷＩＲ：１．４μｍから３μｍの間。
【００５７】
したがって、さまざまな波長範囲のペア、例えばＭＷＩＲ／ＬＷＩＲ、ＭＷＩＲ／ＳＷＩＲ、またはＬＷＩＲ／ＳＷＩＲを検出し得るように検出装置を構成することが可能である。
【００５８】
さらに、上に提示したさまざまな範囲を２つの異なる部分範囲に分けることが可能である。特定の実施形態では、第１の波長範囲および第２の波長範囲は、例えば、ＭＷＩＲ放射を２つの別個の部分範囲に分割する。ＬＷＩＲおよびＳＷＩＲの場合も同様であり得る。
【００５９】
光検出器２ａおよび２ｂの供給条件は異なり得る。好適には、供給条件は、すべての光検出器で同一である。供給条件は、第１の光検出器２ａ用の第１の読み出し回路および第２の光検出器２ｂ用の第２の読み出し回路によって提供される。
【００６０】
光検出器２ａおよび２ｂならびに読み出し回路７ａおよび７ｂは、好適には、支持体６上に配置される。支持体６は、第１の熱膨張係数および第２の熱膨張係数とは異なり得る第３の熱膨張係数を示す。このとき、緩衝層４は、支持体６および吸収性の第１の積層体２によって形成されたアセンブリが、光学機能体を形成する第２の積層体３によってあまり妨害されないまたは妨害されないように適合される。
【００６１】
好適には、第１の光検出器２ａおよび第２の光検出器２ｂを特殊化するために、第２の積層体３は、入射放射線のフィルタリングシステムを形成するように構成される。
【００６２】
第１の構成では、第２の積層体３は、第１の光検出器２ａの入力に対する入射放射線の一部を遮断し、第２の光検出器２ｂの入力に対する入射放射線を遮断しないように構成される。
【００６３】
例えば、第２の積層体３は、第１の波長範囲を通過させ、第２の波長範囲を遮断するように構成された第１のフィルタ３ａを備える。第１のフィルタ３ａは、干渉フィルタまたは吸収フィルタであり得る。
【００６４】
実施形態に応じて、第１の波長範囲は、第２の波長範囲よりも長いまたは短い波長を示し得る。したがって、第１のフィルタ３ａは、カットオフ波長が第１の波長範囲と第２の波長範囲との間に位置するローパスフィルタまたはハイパスフィルタであり得る。代替案としては、第１の波長範囲を通過させ、第２の波長範囲を遮断するバンドパスフィルタである第１のフィルタ３ａを実現することも可能である。
【００６５】
第１のフィルタ３ａは、緩衝層４上、すなわち、焦点面アレイの一部の上に直接堆積されるフィルタである。第１のフィルタ３ａは、第２の光検出器２ｂ上には形成されないため、第１のフィルタ３ａは、第１の光検出器２ａを覆い、第２の光検出器２ｂを覆われないままにしておく。第１のフィルタ３ａは、緩衝層４を介して第１の光検出器２ａと機械的に接触する。
【００６６】
この特定の構成によって、第１の光検出器２ａは、入射放射線の一部のみを受け取る。第１の光検出器２ａは、第１の波長範囲を受け取り、第２の波長範囲を受け取らない。他方、第２の光検出器２ｂは、第１のフィルタ３ａに関連付けられないため、第１の波長範囲および第２の波長範囲を受け取る。
【００６７】
第１の光検出器２ａは、受け取った放射線を表す電気信号を放出する。第１の光検出器２ａから発生する電気信号は、第１の波長範囲の放射線を表す。
【００６８】
好適な態様では、第１の光検出器２ａは、関連する光検出器によって放出された信号を記憶する読み出し回路７に接続される。読み出し回路７は、好適には電圧信号である別の第１の電気信号を処理回路（図示せず）に送信する。第２の光検出器２ｂもまた、第２の電気信号を受信する処理回路に接続される。
【００６９】
特定の実施形態では、反射防止層３ｃが、第２の積層体３に形成される。一実施形態では、反射防止層３ｃは、第１のフィルタ３ａと緩衝層４との間に配置される。代替案としては、反射防止層３ｃは、第１のフィルタ３ａが反射防止層３ｃと第１の積層体２を分離するように第１のフィルタ３ａ上に配置される。
【００７０】
第１のフィルタ３ａとは異なる光学機能体によって覆われる第２の光検出器２ｂを実現することは特に好適である。この光学機能体は、好適には、先に提示した光学機能体から選択され、例えば別のフィルタである。
【００７１】
優先的な態様では、第２の光検出器２ｂ上に配置される追加の光学機能体は、反射防止層によって構成されるか、またはこれを備える。この構成では、第２の積層体３は、第１の光検出器２ａおよび第２の光検出器２ｂ上の、異なる積層体の層に関して不均一である。積層体が異なるため、熱膨張係数も異なり、および／またはこれら２つの積層体に存在する残留応力が異なる。このとき、一方の光学機能体から他方の光学機能体にかけて空間的に変化する一連の応力が導入される。緩衝層４が存在しないと、第１の光検出器２ａおよび第２の光検出器２ｂからの応答が異なることになる。検出装置が製造されるとき、第１の積層体２は、第２の積層体３の位置調整に対してより敏感である。緩衝層４を導入することによって、期待される動作に関してより再現性が高く、より適合した検出装置を形成することが可能である。
【００７２】
別の実施形態では、第２の積層体３は、異なる２つの隣接する光学機能体、例えば、異なる光学特性を示す第１のフィルタ３ａおよび第２のフィルタ３ｂを備える。第２のフィルタ３ｂは、第１の積層体２と緩衝層４との間の界面に平行な方向で第１のフィルタ３ａに隣接する。第２のフィルタ３ｂは、第２の波長範囲を通過させ、第１の波長範囲を遮断するように構成される。第２のフィルタ３ｂは、干渉フィルタまたは吸収フィルタであり得る。
【００７３】
画素を機能化するために、フィルタ３ａと３ｂは異なり、この結果、光検出器間に応力が生じる。検出器に加えられる応力が異なる限り、これは、隣接する光検出器と比較した場合、光検出器の経年劣化の差をもたらし得る。これはまた、電気的応答の差をもたらし得る。この応力はまた、検出装置の動作を損なう結晶学的欠陥をもたらし得る。
【００７４】
シミュレーションは、光検出器上の光学機能体の差異化から生じる応力差が、光学応答差異化フィルタが形成された界面を起点にして約４００ｎｍの深さで均一になる不均一な一連の応力を誘発することを示した。
【００７５】
したがって、すべての光検出器が同じ一連の応力を受けるように、より一般的な態様では、吸収材料が均一な応力を受けるように、少なくとも５００ｎｍに等しい厚さを有する緩衝層４を使用することが特に好適である。
【００７６】
特に好適な態様では、少なくとも２μｍに等しい厚さを有する緩衝層４は、吸収層２の光学機能体によって導入される応力を大幅に低減するまたはさらには除去することを可能にする。このようにして、光検出器の動作は、光学機能体なしのシミュレーションまたはテストが実行されたときに予想されたものにより近づく、またはさらにはこれと同一になる。
【００７７】
好適な態様では、検出装置は、冷却検出装置、すなわち、２００Ｋ未満の温度で動作するように構成された装置である。例えば、検出装置は、８０Ｋから２００Ｋの間で構成される動作温度を示すように構成される。検出装置は、好適には、検出装置をその動作温度まで冷却することを可能にする冷却システム７と結合される。これらの条件下では、第２の積層体３が形成される温度と動作温度との間に存在する温度差は非常に大きく、これは、高い応力をもたらし得る。
【図１】
2021533387.tif 000005
【図２】
2021533387.tif 000006
【図３】
2021533387.tif 000007
【図４】
2021533387.tif 000008
【図５】
2021533387.tif 000009
【図６】
2021533387.tif 000010
【国際調査報告】
2021533387.tif 000011
2021533387.tif 000012
2021533387.tif 000013
2021533387.tif 000014